(57)【要約】【課題】操作部材が届かないような遠い位置に画像を移動させる場合、ユーザの手の届く範囲で操作できるようにして、表示されている画像を目標の位置に移動させる。【解決手段】ユーザは、操作部材を用いて、画面に表示されている移動元画像Ａを特定する。特定された移動元画像Ａ上を操作部材でタッチして、始点Ｓを入力する。ユーザは操作部材を目標の位置に向けて動かす。操作部材の入力位置が検出され、操作部材の移動方向と移動速度が算出される。操作部材の移動速度に基づいて、移動元画像Ａの移動距離が求められ、移動方向および移動元画像Ａの移動距離から移動先が決められる。移動元画像Ａは、移動先に移動して、移動先画像Ｂが表示される。【選択図】図４
2009116762.tif 000002
【特許請求の範囲】
【請求項１】
操作部材による入力操作可能な画面を有する表示部と、操作部材の動きに応じて画面に表示されている画像を移動させる制御部とを備え、制御部は、操作部材の動きから移動方向と移動速度を求めて、画像の移動先を決定することを特徴とする表示装置。
【請求項２】
操作部材の入力位置を検出する位置検出部を備え、制御部は、操作部材の動きに応じて検出される入力位置に基づいて移動方向および移動速度を算出し、移動速度に基づいて画像の移動距離を求め、移動方向および移動距離から移動先を決定することを特徴とする請求項１記載の表示装置。
【請求項３】
制御部は、移動速度が速いほど、操作部材の移動距離よりも遠くに移動先を決めることを特徴とする請求項２記載の表示装置。
【請求項４】
制御部は、操作部材の入力位置に基づいて、移動させる画像を特定することを特徴とする請求項３記載の表示装置。
【請求項５】
制御部は、一定時間における操作部材の移動距離から平均速度を求め、この平均速度を移動速度とすることを特徴とする請求項３記載の表示装置。
【請求項６】
制御部は、操作部材の軌跡を補間して、移動方向を決定することを特徴とする請求項３記載の表示装置。
【請求項７】
制御部は、操作部材の軌跡を表示させることを特徴とする請求項６記載の表示装置。
【請求項８】
制御部は、移動先に表示された画像に対して、操作部材による操作があったとき、画像を元に戻すことを特徴とする請求項１〜７のいずれかに記載の表示装置。
【請求項９】
画面に複数の移動先マークが表示され、制御部は、決定された移動先の近傍にある移動先マークに画像を移動させることを特徴とする請求項１〜７のいずれかに記載の表示装置。
【発明の詳細な説明】
【技術分野】
【０００１】
本発明は、タッチペン等の操作部材による入力操作可能な画面を有する表示装置に関する。
【背景技術】
【０００２】
ディスプレイの表面にタッチパネルを備えた表示装置では、タッチパネル上にタッチペンや指といった操作部材で画像を書いて入力すると、入力した画像がディスプレイに表示される。そして、操作部材を用いて、画面に表示された画像を拡大縮小、移動といった加工を行うことが可能である。
【０００３】
ここで、画像を移動させるとき、ユーザは、操作部材により画像を指定する。そして、目的の位置に向けて操作部材を移動して、終点を指定する。画像は終点の位置に移動して、表示される。例えば、特許文献１には、操作部材のタッチした軌跡情報から、始点と終点との間の距離および方向ベクトルを算出して、移動先を決めることが記載されている。
【特許文献１】特開平８−１７１４７３号公報
【発明の開示】
【発明が解決しようとする課題】
【０００４】
表示装置は大型化され、会議や打ち合わせに使用される。ユーザが画面に画像を書き込むとき、大型の画面では、操作部材の届かない領域が生じる。この領域には、簡単に画像を書き込むことができない。ところで、操作部材による操作によって、画像を移動させることができる。これを利用すれば、ユーザは、手元で画像を書き込み、操作部材で終点を指定すると、この画像が移動先に移動して表示される。
【０００５】
しかし、大型の画面では、移動先が遠い場合がある。この場合、操作部材が届かず、終点を指定することができない。そこで、本発明は、上記に鑑み、操作部材が届かないような遠い位置に画像を移動させる場合でも、ユーザの手の届く範囲で操作できるようにして、表示されている画像を目標の位置に移動させることができる表示装置の提供を目的とする。
【課題を解決するための手段】
【０００６】
本発明は、操作部材による入力操作可能な画面を有する表示部と、操作部材の動きに応じて画面に表示されている画像を移動させる制御部とを備え、制御部は、操作部材の動きから移動方向と移動速度を求めて、画像の移動先を決定するものである。
【０００７】
画像の移動先を直接指定しなくても、操作部材の動きによって移動先が決められる。すなわち、操作部材の入力位置を検出する位置検出部を備え、制御部は、操作部材の動きに応じて検出される入力位置に基づいて移動方向および移動速度を算出し、移動速度に基づいて画像の移動距離を求め、移動方向および移動距離から移動先を決定する。まず、制御部は、操作部材の入力位置に基づいて、移動させる画像を特定する。移動速度の算出に際して、制御部は、一定時間における操作部材の移動距離から平均速度を求め、この平均速度を移動速度とする。
【０００８】
そして、制御部は、移動速度が速いほど、操作部材の移動距離よりも遠くに移動先を決める。操作部材を速く動かすと、遠くの移動先となり、操作部材をゆっくりと動かすと、近くの移動先となる。したがって、操作部材を速く動かすことにより、操作部材の届かない位置に移動先を定めることができる。
【０００９】
制御部は、操作部材の軌跡を補間して、移動方向を決定する。操作部材の移動中に、操作部材がぶれたり、あるいは不規則に動かされると、移動方向を定めることができなくなる。そこで、操作部材の軌跡を補間することにより、移動方向を一意に特定することができる。
【００１０】
制御部は、操作部材の軌跡を表示させる。ユーザは、画面を見て、操作部材の移動方向を目標の位置に向かっているのか確認できる。目標の位置からずれている場合、すぐに操作部材の移動方向を修正すればよい。
【００１１】
制御部は、移動先に表示された画像に対して、操作部材による操作があったとき、画像を元に戻す。決定された移動先が目標の位置からずれていた場合や、移動を取り消したい場合に、画像を元に戻せる。
【００１２】
画面に複数の移動先マークが表示され、制御部は、決定された移動先の近傍にある移動先マークに画像を移動させる。ユーザは、目標とする移動先マークに向かって、操作部材を動かせばよく、移動方向を容易に定めることができる。
【発明の効果】
【００１３】
本発明によると、画面に表示されている画像を移動させるとき、ユーザの手の届く範囲で操作部材を動かす操作を行うことにより、目標の位置である移動先を決定できる。これにより、操作部材が届かないような遠い位置に画像を移動させる場合、ユーザは移動しなくても、手元での入力操作だけですみ、ユーザの操作性が向上する。
【発明を実施するための最良の形態】
【００１４】
本実施形態の表示装置を図１、２に示す。表示装置は、ＬＣＤ等の大型の表示パネルからなる表示部１を備えている。表示部１の表面にタッチパネル２が設けられ、表示部１は、手書き入力可能な画面を有することになる。表示部１は、移動可能な台座３に支持される。台座３は、車輪４を有する基台５と、基台５に立設され、表示部１を支持する脚６とからなる。基台５の上面に形成された載置台７に、画面に表示された画像を印刷するプリンタ８が設置される。
【００１５】
表示部１は、制御装置１０を内蔵している。制御装置１０は、入力された画像を表示するように表示部１を駆動制御する。制御装置１０は、タッチパネル２上の座標位置を検出するタッチ位置検出部１１と、表示部１に駆動信号を出力する表示コントロール部１２と、入力された画像を一時記憶するメモリ１３と、画像を記憶するハードディスク装置、不揮発性メモリ等からなる記憶部１４と、画像の表示を制御するＣＰＵ、ＲＯＭ、ＲＡＭからなる制御部１５と、ネットワークを通じて通信を行うインタフェース部１６とを備えている。制御装置１０は、ネットワークを介してプリンタ８と接続される。また、サーバ、パソコン等の情報処理装置がネットワークを通じて制御装置１０と通信可能なように接続される。
【００１６】
タッチパネル２は、赤外線遮断検出方式により、タッチペン、指といった操作部材による画面への入力操作を検出する。すなわち、タッチパネル２に受発光素子からなる光センサが設けられる。操作部材がタッチパネルに触れたとき、ＬＥＤ等の発光素子の光が遮られ、受光素子に光が到達しない。この受光素子の出力信号に基づいて、タッチ位置検出部１１は、操作部材の入力操作によるタッチ位置のＸＹ座標を特定して、位置情報として制御部１５に出力する。
【００１７】
制御部１５は、タッチ位置検出部１１からの位置情報に基づいて、点画像を生成する。ユーザが操作部材によって画像を書き込んで入力すると、その軌跡の位置情報が検出される。制御部１５は、位置情報に基づいて、点画像を連続的につなぐことにより、画像を生成する。
【００１８】
そして、制御部１５は、タッチパネル２から入力された画像を表示するように表示コントロール部１２を制御する。表示コントロール部１２は、表示すべき画像に応じた駆動信号を表示部１に出力する。表示部１が駆動され、ユーザが書き込んだ画像が画面に表示される。また、ネットワークを通じて情報処理装置からの画像が入力されると、制御部１５は、同様に表示コントロール部１２を制御して、入力された画像を画面に表示させる。
【００１９】
ここで、表示装置では、画面に表示されている特定の画像に対して、操作部材の入力操作により変形、移動、コピーといった加工を行うことができる。制御部１５は、ユーザによってメニューから所望の加工が選択されると、指定された画像に対して加工を行い、加工後の画像を画面に表示させる。
【００２０】
特に、画像を移動させるとき、制御部１５は、操作部材の動きから移動方向と移動速度を求めて、特定の画像の移動先を決定する。そして、決定された移動先に特定の画像を表示させる。
【００２１】
移動先の決定方法について、制御部１５は、操作部材の動きに応じて検出される入力位置に基づいて、操作部材の移動方向および移動速度を算出し、移動速度に基づいて画像の移動距離を求め、移動方向および移動距離から移動先を決定する。ここで、制御部１５は、操作部材の移動速度が速いほど、画像の移動距離を長く、操作部材の移動速度が遅いと、画像の移動距離を短くする。すなわち、制御部１５は、操作部材の移動速度が速いほど、操作部材の移動距離よりも遠くに画像の移動先を決める。移動速度が遅いほど、操作部材の入力位置の近くに移動先を決める。
【００２２】
なお、移動速度が規定速度以下のとき、操作部材の移動した終点を移動先としてもよい。すなわち、制御部１５は、算出した移動速度が規定速度以下のとき、操作部材の最終の入力位置を移動先に決める。目標の位置がユーザの手の届く範囲にあるとき、ユーザは、操作部材をゆっくりと目標の位置まで動かせばよい。
【００２３】
ユーザが操作部材を画面上を移動させるとき、スムーズに移動しない場合がある。そのため、制御部１５は、一定時間における操作部材の移動距離から平均速度を求め、この平均速度を移動速度とする。操作部材の移動距離は、始点から一定時間経過時の操作部材の入力位置までの距離とされる。
【００２４】
また、操作部材が移動中にぶれると、操作部材の移動方向を定めることができないおそれがある。そこで、制御部１５は、操作部材の軌跡を補間して、移動方向を決定する。すなわち、次々と検出される操作部材の入力位置から軌跡の１次近似式を求めて、操作部材の移動方向が直線になるようにする。これによって、操作部材の移動方向を特定することができる。
【００２５】
制御部１５は、ユーザによる移動操作中、操作部材の軌跡を表示させる。移動方向および移動距離を表す軌跡のベクトルが画面に表示される。操作部材の移動に伴って、軌跡のベクトルも変化する。ユーザは、移動方向が目標の移動先に向いているかを確認でき、移動方向の修正を容易に行える。
【００２６】
移動操作中、ユーザが操作部材を戻したとき、操作部材の実際に移動した距離は長くなる。しかし、制御部１５は、一定時間経過したときの操作部材の入力位置から移動距離を求める。そのため、ユーザは、目標の位置を行き過ぎたと思ったとき、操作部材を戻せばよい。操作部材の移動距離が短くなって、移動速度が下がり、画像の移動距離も短くなる。
【００２７】
ユーザが画面に表示されている画像を移動させる移動操作を図３にしたがって説明する。表示部１の画面に画像が表示され、制御部１５は、ユーザの入力操作待ちの状態にある（Ｓ２０１）。図４に示すように、ユーザは、操作部材を用いて、表示されている画像を囲むように円、矩形等の図形を書く。制御部１５は、囲まれた領域内の画像を移動元画像Ａとして特定する。
【００２８】
ユーザは、操作部材で移動元画像Ａをタッチして、目標の位置に向かって操作部材を画面上で動かす。タッチ位置検出部１１は、タッチされた位置の座標を検出して、この位置情報を制御部１５に出力する。制御部１５は、タッチされた位置を始点Ｓとして認識する（Ｓ２０２）。始点Ｓが入力されると、制御部１５は、移動速度を算出するためにタイマをスタートする（Ｓ２０３）。
【００２９】
操作部材の動きに応じて、タッチ位置検出部１１は、次々と操作部材の入力位置を検出し、制御部１５は、入力位置から操作部材の軌跡を抽出して（Ｓ２０４）、その軌跡をベクトルとして表示させる。一定時間、例えば１秒が経過する（Ｓ２０５）と、制御部１５は、軌跡から操作部材の移動方向と移動距離を算出して、一定時間における移動距離から移動速度を算出する（Ｓ２０６）。そして、制御部１５は、移動方向および移動速度に基づいて移動先を決定する（Ｓ２０７）。例えば、操作部材の移動速度が３００ｍｍ／ｓのとき、移動先は、決定された移動方向において、始点から６００ｍｍの位置とされる。制御部１５は、移動元に表示されている移動元画像Ａを消去して、移動元画像Ａの表示位置の変更を行う（Ｓ２０８）。移動先に新たに移動先画像Ｂが表示される。なお、決定された移動先が画面をはみ出した位置となる場合、移動先は画面の端とする。
【００３０】
ここで、移動先画像Ｂの移動を取り止める、あるいは移動先を間違ったといった事態が生じたとき、移動を取り消して、移動先画像Ｂを元に戻すことができる。ユーザが、移動先画像Ｂに対して、所定時間内に操作部材によりクリックといったタッチ操作をする（Ｓ２０９）。制御部１５は、移動先画像Ｂへの入力操作を検出すると、移動先画像Ｂを消去して、元の位置に移動元画像Ａを表示させる（Ｓ２１０）。所定時間内に上記の取消操作がなければ、制御部１５は、移動を確定して、移動先画像Ｂを元に戻すことができないようにする。また、制御部１５は、表示されている軌跡を消去する。
【００３１】
なお、この取消操作は、所定時間に関係なく、移動先画像Ｂがアクティブな状態になっているときに有効としてもよい。移動が確定された後は、取消操作を行うことができない。また、移動の取り消しに際して、移動先画像Ｂがユーザの手の届かない位置にある場合、移動先画像Ｂをタッチ操作できないおそれがある。そこで、移動先画像Ｂの代わりに、軌跡に対してタッチ操作されたとき、移動が取り消されるようにしてもよい。
【００３２】
このように、操作部材の動きに応じて画像の移動先を決めることができるので、操作部材により移動先を直接する指定する必要がなくなる。したがって、ユーザの手の届かない位置に画像を移動させたいとき、ユーザは、手の届く範囲内で入力操作するだけでよく、遠い移動先を指定することができる。ユーザが操作部材を速く動かすと、移動先は遠くなる。例えば、ユーザが画面の一側にいるときに、ユーザは移動しなくても、画面の他側に画像を移動させることができる。
【００３３】
上記の移動操作では、初心者のユーザにとって、目標の位置に向けて操作部材を動かすことが難しい場合がある。そこで、図５に示すように、画面に予め複数の移動先マークＭを表示して、目標と定めた移動先マークＭに画像を移動させる。すなわち、制御部１５は、画面に複数の移動先マークＭを一定間隔で縦横に並べて表示させる。そして、上記と同様に、操作部材の動きに応じて決められた移動先の近傍にある移動先マークＭに画像を移動させる。
【００３４】
移動先マークＭは、画面に常時表示されるようにしてもよいが、移動操作が開始されるときに、表示されるようにしてもよい。また、移動先マークＭの位置は、予め設定可能とされる。
【００３５】
図６に示すように、制御部１５は、ユーザの入力操作待ちの状態にある（Ｓ４０１）とき、移動先マークＭを表示させる（Ｓ４０２）。この後、移動元画像Ａの特定から移動先の決定までの動作（Ｓ４０３〜Ｓ４０７）は、図３のＳ２０２〜Ｓ２０６と同じである。
【００３６】
操作部材の動きに応じて移動先が決まると、制御部１５は、この移動先に最も近い移動先マークＭを検索して、その移動先マークＭを移動箇所に決定する（Ｓ４０８）。この後のＳ４０９〜Ｓ４１１は、図３のＳ２０８〜Ｓ２１０と同じである。
【００３７】
決められた移動箇所に移動先画像Ｂが表示される。このように、ユーザは、移動先マークＭを目がけて、操作部材を動かすことにより、目標の位置に簡単に画像を移動させることができる。
【００３８】
なお、本発明は、上記実施形態に限定されるものではなく、本発明の範囲内で上記実施形態に多くの修正および変更を加え得ることは勿論である。表示パネルは、プラズマディスプレイ、有機ＥＬディスプレイを用いたものであってもよい。タッチパネルは、静電容量式、電磁誘導式、電気抵抗式、感圧式等の接触式、非接触式のいずれの方式としてもよい。液晶ディスプレイの表示パネルにスキャナが一体的に組み込まれたタッチパネル一体型表示部を用いてもよい。
【００３９】
移動操作中、制御部は、操作部材の軌跡から移動先を推定して、推定した移動先を表示させる。ユーザによって、移動操作の目安となり、移動先が目標の位置からずれている場合、操作部材の動きを調整することができる。これにより、操作途中に移動先を修正することができ、正確に目標の位置に画像を移動させることができる。
【図面の簡単な説明】
【００４０】
【図１】本発明の表示装置の外観を示す斜視図
【図２】表示装置の制御ブロック図
【図３】移動操作のフローチャート
【図４】画面に表示されている画像を移動させるときの様子を示す図
【図５】移動先マークを利用して、表示されている画像を移動させるときの様子を示す図
【図６】移動先マークを利用した移動操作のフローチャート
【符号の説明】
【００４１】
１    表示部
２    タッチパネル
１０    制御装置
１１    タッチ位置検出部
１２    表示コントロール部
１５    制御部
Ａ    移動元画像
Ｂ    移動先画像
Ｍ    移動先マーク
【図１】
2009116762.tif 000003
【図２】
2009116762.tif 000004
【図３】
2009116762.tif 000005
【図４】
2009116762.tif 000006
【図５】
2009116762.tif 000007
【図６】
2009116762.tif 000008